(57)【要約】【課題】使用前は、秘密情報が盗まれること無く隠蔽され、使用後は、秘密情報が印刷物本体に残らないようなセキュリティ性の高い秘密情報印字ラベルとすること。【解決手段】上部部材及び下部部材からなり、物品に貼付される秘密情報印字ラベルであって、前記下部部材は、少なくとも一方の面に下部粘着層を有する下部基材と、前記下部粘着層とは反対の基材上に下部隠蔽層を有し、前記上部部材は、少なくとも隠蔽性を有する上部基材上に秘密情報印字領域を有する秘密情報印字層を有し、前記上部部材と前記下部部材は、上部基材の秘密情報印字領域の外側において第２粘着層を介して接着されていることを特徴とする秘密情報印字ラベル。【選択図】図１
2015179165.tif 000002
【特許請求の範囲】
【請求項１】
上部部材及び下部部材からなり、物品に貼付される秘密情報印字ラベルであって、
前記下部部材は、少なくとも、隠蔽性を有する下部基材と前記下部基材の一方の面に下部粘着層とを有し、
前記上部部材は、少なくとも、隠蔽性を有する上部基材上に秘密情報印字領域を有する秘密情報印字層を有し、
前記上部部材と前記下部部材は、上部基材の秘密情報印字領域の外側において粘着層を介して接着されていることを特徴とする秘密情報印字ラベル。
【請求項２】
前記上部基材が脆性を有する基材であることを特徴とする請求項１に記載の秘密情報印字ラベル。
【請求項３】
前記隠蔽性を有する上部基材が隠蔽層を兼ねた金属蒸着紙であることを特徴とする請求項１または２に記載の秘密情報印字ラベル。
【請求項４】
前記下部基材が樹脂基材であることを特徴とする請求項１〜３のいずれかに記載の秘密情報印字ラベル。
【請求項５】
前記上部部材は、切取り線が形成され、前記切取線がミシン目又はハーフカット、断続的な切込であることを特徴とする請求項１〜４のいずれか１項に記載の秘密情報印字ラベル。
【発明の詳細な説明】
【技術分野】
【０００１】
本技術は、ＩＤ等の秘密情報が隠蔽された状態で記載されている秘密情報印字ラベルに関する。
【背景技術】
【０００２】
従来、不正にパスワード、サイン、印影等を盗み見ることによって、秘密情報を盗みセキュリティ性を突破しようとする者がいる。このことを防止するために、隠蔽片を有するシールがある。また、隠蔽片を剥がした場合、剥がしたという事実がわかるように、剥がした箇所に「開封無効」等の文字情報が残るものがある。
【０００３】
具体的には、ハガキなどの印刷物にくじ情報などの秘密情報を印字し、その上に隠蔽シールを貼り付け、秘密情報を隠蔽する方法が知られている（例えば、特開昭６４−７７５８９を参照）。
【０００４】
しかし、製品の製造管理・監視業務等の際には、次のような問題が出てくる。
【０００５】
１つ目に、これらの秘密情報は印刷物本体には残るため、秘密情報を使用した後に、秘密情報の漏洩のリスクをなくした上で本体を使用したいといった場合にはセキュリティ性に問題がある。
【０００６】
２つ目に、このような構成だけでは、透かして見るなどして秘密情報が盗まれる可能性があるという問題がある。
【先行技術文献】
【特許文献】
【０００７】
【特許文献１】特開昭６４−７７５８９号
【発明の概要】
【発明が解決しようとする課題】
【０００８】
このような問題に鑑みて、本発明ではハガキなどの印刷物に設ける秘密情報に関して、使用前は、秘密情報が盗まれること無く隠蔽され、使用後は、秘密情報が印刷物本体に残らないようなセキュリティ性の高い印刷物とすること、また、印刷物に用いる秘密情報印字ラベルとすることを課題とする。
【課題を解決するための手段】
【０００９】
上記課題を解決するための手段として、本発明の請求項１に記載の発明は、上部部材及び下部部材からなり、物品に貼付される秘密情報印字ラベルであって、前記下部部材は、少なくとも、隠蔽性を有する下部基材と前記下部基材の一方の面に下部粘着層とを有し、前記上部部材は、少なくとも、隠蔽性を有する上部基材上に秘密情報印字領域を有する秘密情報印字層を有し、前記上部部材と前記下部部材は、上部基材の秘密情報印字領域の外側において粘着層を介して接着されていることを特徴とする秘密情報印字ラベルである。
【００１０】
また、さらに請求項２に記載の発明は、前記上部基材が脆性を有する基材であることを特徴とする請求項１に記載の秘密情報印字ラベルである。
【００１１】
また、さらに請求項３に記載の発明は、前記隠蔽性を有する上部基材が隠蔽層を兼ねた金属蒸着紙であることを特徴とする請求項１または２に記載の秘密情報印字ラベルである。
【００１２】
また、さらに請求項４に記載の発明は、前記下部基材が樹脂基材であることを特徴とする請求項１〜３のいずれかに記載の秘密情報印字ラベルである。
【００１３】
また、請求項５に記載の発明は、前記上部部材は、切取り線が形成され、前記切取線がミシン目又はハーフカット、断続的な切込であることを特徴とする請求項１〜４のいずれか１項に記載の秘密情報印字ラベルである。
【発明の効果】
【００１４】
本発明の請求項１に記載の発明によれば、使用前は秘密情報が隠蔽され、使用後は秘密情報が印刷物本体に残らないようなセキュリティ性の高い秘密情報印字ラベルとすることができる。
【００１５】
また、本発明の請求項２及び５に記載の発明によれば、上部部材を切り取りやすくできるという効果を有している。
【００１６】
また、請求項３に記載の発明によると、隠蔽層を具備することにより、上部部材の上部基材上に形成されている秘密情報を透かしたりして視認することができなくなり、セキュリティ性が向上するという効果を有している。
【００１７】
また、請求項４に記載の発明によると、下部部材が上部部材に引きずられることなく分離がきれいにできるという効果を有している。
【図面の簡単な説明】
【００１８】
【図１】本発明の一つの形態を示す図である。
【図２】本発明の一つの形態を示す図である。
【図３】本発明の一つの形態を示す図である。
【図４】本発明の一つの形態を示す図である。
【発明を実施するための形態】
【００１９】
［上部部材］
（上部基材）
本発明の上部基材としては、紙基材、樹脂基材等用いることができるが、下部部材との切り取り性を考慮すると紙基材や脆性の基材であることが好ましい。樹脂基材としては、ポリプロピレン（ＰＰ）、ポリエチレンテレフタレート（ＰＥＴ）、ポリエチレンナフタレート（ＰＥＮ）、ポリカーボネートなどのプラスック基材を用いることができる。また、脆性を有する基材としては、より破壊性を向上させたものを用いることができ、紙、発泡系ＰＥＴフィルム、多孔質性のものなどが好適に使用される。
【００２０】
また、上部基材については、隠蔽性を有しているものであることが必要であるため、本発明においては、前述した上部基材は色紙やインクを含有した基材、不透明度が高いものが上部基材として好適に使用される。
【００２１】
さらに、上部基材は、基材に対し、アルミや銀等の金属蒸着層を設けたものや、酸化チタン等の隠蔽性顔料を含む印刷をしたもの、墨やインクを塗工したものも隠蔽性を向上させる上で、好適に使用される。また、インクを使用する際は、秘密情報印字層の秘密情報と同系色のインクを使用することが好ましい。
【００２２】
そして、上部基材は６０μｍ〜１１０μｍの厚みであることが好適であるが、さらに６０μｍ〜７０μｍの厚みであると、より切り取り性の面から好適である。
【００２３】
（秘密情報印字層）
本発明において秘密情報印字層は、インクジェット印刷法などにより、くじ番号、ＩＤ番号、管理番号、識別番号、図、絵柄などの秘密情報を印字する。秘密情報の印字は、上部部材の中で、上部基材層より下側（裏面側）に位置すればよい。また、印字適正を向上させるためアンカー層、コントラストを向上させるために下地印刷層をもちいることができる。
【００２４】
（切取線）
上部部材に切取線を設けることで、秘密情報を使用した後に秘密情報を含む部分を切取ることが可能となる。切取線はミシン目やハーフカット、断続的な切込等を用いることができる。さらには、切取のきっかけだけを作成しておいても良い。
【００２５】
切取線形成のタイミングは、絵柄印刷層等の他の層を形成し、上部部材を完成させた後に切取線を設けても良いし、切取線を設けた上部基材上に絵柄印刷層等を形成していってもよい。
【００２６】
切取線は、図１や図３に示すように少なくとも秘密情報が印字されている印字領域の外側に印字領域を分離可能とするように設けられていればよい。また、図１に示すように、切込のピッチを変化させた部分を設け、切り取る際のきっかけにすることができる。
【００２７】
切り込みの形状については、ミシン目の場合、矩形、円形、楕円等、種々の形状を任意に取ることが可能である。また、図３のように４方全てに切れ込みを入れる必要は無く、３方向に切れ込みが形成された場合や、２方向にのみ切れ込みが形成されたもの等、様々なものが選択される。
【００２８】
（その他）
上部部材としては、上記した各層のほかに、最上層に絵柄印刷層を設けたり、各種中間層を設けても良い。例えば、絵柄印刷層を設けることによって、秘密情報印字層の秘密情報を隠蔽する効果を向上させることが可能となる。
【００２９】
［下部部材］
（下部基材）
本発明の下部基材は、紙基材、樹脂基材等を下部基材として用いることができるが、上部部材を切り取る際に一緒に裂ける等の不具合を避けるために、ある程度しっかりした樹脂基材を用いることが好ましい。樹脂基材としてはポリプロピレン（ＰＰ）、ポリエチレン（ＰＥ）、ポリエチレンテレフタレート（ＰＥＴ）などの基材を用いることができる。
【００３０】
また、下部基材は、隠蔽性を有しているものであることが必要であるため、本発明においては、前述した下部基材はインクを含有した基材、不透明度が高いものが下部基材として好適に使用される。インクを下部基材に混ぜ込んで使用する際は、秘密情報印字層の秘密情報と同系色のインクを使用することがセキュリティ性向上の面から好ましい。
【００３１】
さらに、下部基材は、上述したインクを混ぜ込ませた基材以外にも、基材に対しアルミや銀等の金属蒸着層を設けたものや、酸化チタン等の隠蔽性顔料を含む印刷をしたもの、スミやインクを塗工したものも隠蔽性を向上させる上で、好適に使用される。（このように、下部基材に対し、隠蔽を目的として塗布したものも合わせて下部基材とする。）また、インクを使用する際は、秘密情報印字層の秘密情報と同系色のインクを使用することが好ましい。
【００３２】
そして、上部基材は６０μｍ〜１１０μｍの厚みであることが好適であるが、さらに６０μｍ〜７０μｍの厚みであると、より切り取り性の面から好適である。
【００３３】
（下部粘着層）
本発明の下部粘着層としては、溶剤型、水系エマルション型、ホットメルト型などを用いることができる。
【００３４】
溶剤型としては、天然ゴム、ブロック共重合体系を含む合成ゴムを主成分とし、ロジンとそのエステル、テルペン樹脂等の粘着付与樹脂、フタル酸エステル、リン酸エステル等の軟化剤をトルエン、Ｎ−ヘキサンなどの溶媒に溶解したもの、あるいは酢酸エチルやトルエンが主体の溶媒中でラジカル重合で得られたポリアクリル酸エステルを主体としたアクリル系樹脂に、ロジンとそのエステル、テルペン樹脂等の粘着付与樹脂、フタル酸エステル、リン酸エステル等の可塑剤、ジイソシアネート、アジリジニル基化合物などの硬化剤等でなるものがある。
【００３５】
水系エマルション型としては、水中での乳化重合で得られたポリアクリル酸エステルを主体としたアクリル系樹脂を消泡剤、レベリング剤、増粘剤ネチタン分散体等添加剤等でなるエマルションとしたものがある。
【００３６】
ホットメルト型（無溶剤型）としては、エチレン−酢酸ビニル共重合体を主成分としたものがあり、上記溶剤型、水系エマルション型、ホットメルト型（無溶剤型）のいずれもが使用できるが、その中でもアクリル系樹脂を主要樹脂とした水系エマルション型の粘着剤を用いた粘着剤層がローラー間での柔軟性においてより好適なものであり、かつ環境問題への対応、安全性、経済性などの観点からもより有利な粘着剤である。
【００３７】
また、その他、ポリ酢酸ビニル、エチレン−酢酸ビニル共重合体、ポリアクリル酸エステル系、ポリ塩化ビニル系、天然ゴム、合成ゴム、酢酸ビニル−アクリル酸エステル共重合体、ポリエステル系、ポリウレタン系などの非水溶性高分子材料を用いることもできる。これらの材料は、添加剤、分子量などの最適化により前述の接着強度の範囲に設定できる。
【００３８】
粘着層の厚みとしては、特に限定するものではないが０．１μｍ〜５ｍｍ、好ましくは１０〜５０μｍの範囲内で設けることができる。
【００３９】
［貼り合わせ］
上部部材と下部部材は粘着部により貼り合わせされる。粘着部は切取線で囲われる領域の外側に設ける。この粘着部の材料は、下部粘着層にて前述した材料を適宜採用することができる。
【実施例】
【００４０】
次に、本発明の実施例を以下に示す。
【００４１】
下部基材としてポリプロピレンフィルムに墨をベタで印刷したものに対し下部粘着層を設け、これを下部部材として採用した。
【００４２】
次に、上部基材として、（約４５μｍの厚みの）多孔質の紙基材を採用した。これに対し一方の面にアルミを（約１５μｍ）の厚みにて蒸着させ、その上に（ＵＶオフセット印刷方法によって）、絵柄印刷層を印字した。上部基材のもう一方の面にアンカー層を形成し、さらにこの上に秘密情報を印字した。この秘密情報印字層の上に印字の視認性向上の目的でメジウム層を塗布したものを上部部材として採用した。
【００４３】
次に、上部部材には秘密情報印字領域の外周上にミシン目をジッパーミシンの方法によって形成した。このあと、（アクリル系の材料からなる）粘着層をメジウム層上で、かつ、ミシン目の外側に塗布し上部部材と下部部材を貼り付け、秘密情報印字ラベルを得た。
【００４４】
図１の秘密情報印字ラベルでは、秘密情報を２つ印字し、片方の秘密情報を使用した後に、当該秘密情報は廃棄し、次の工程にてもう片方の秘密情報を使用することを想定している。
【００４５】
しかし、本発明はこれに限らず、２つ以上の秘密情報を有する領域を形成していれば良い。
【産業上の利用可能性】
【００４６】
本発明は、前述したように、セキュリティ性が求められる分野において、好適に使用される。具体的には、秘密情報を使用した後に、秘密情報の漏洩のリスクをなくした上で本体を使用したいといった場合や、その他の製造管理・監視業務等において利用される。
【符号の説明】
【００４７】
１  上部基材
２  秘密情報印字層
３  絵柄印刷層
４  下部基材
５  下部隠蔽層
６  上部部材
７  下部部材
８  粘着層
９  下部粘着層
１０  切取のきっかけ
１１  切取線
１２  秘密情報
１３  秘密情報印字領域
【図１】
2015179165.tif 000003
【図２】
2015179165.tif 000004
【図３】
2015179165.tif 000005
【図４】
2015179165.tif 000006